(57)【特許請求の範囲】
【請求項１】
排水枡の内周面の上部部位に形成された段部上に排水口カバーを設け、該排水口カバーの外周側から排水を流下させる構造の排水枡に設置されるヌメリ取り器であって、
該ヌメリ取り器は、前記段部に係止させて前記排水口カバー裏面に近接した排水口カバーの真下に設置可能に構成されているとともに、固形薬剤を収納した収納部と、該収納部の外側側壁に形成されて該収納部から流出する前記固形薬剤の溶解液を前記排水枡の内周面に沿って流下させるために前記内周面の上部部位で開口する流出口を備え、該流出口は、排水を前記収納部内に流入させる流入口も兼ねていることを特徴とする排水枡用ヌメリ取り器。
【請求項２】
上面に覆設された排水口カバーの外周側から排水を流下させる構造の排水枡に設置されるヌメリ取り器であって、
該ヌメリ取り器は、前記排水枡の底面に当接させて該ヌメリ取り器を前記排水口カバー裏面に近接した排水口カバーの真下に設置可能な脚部を備えるとともに、固形薬剤を収納した収納部と、該収納部の外側側壁に形成されて該収納部から流出する前記固形薬剤の溶解液を前記排水枡の内周面に沿って流下させるために前記内周面の上部部位で開口する流出口を備え、該流出口は、排水を前記収納部内に流入させる流入口も兼ねていることを特徴とする排水枡用ヌメリ取り器。
【発明の詳細な説明】
【技術分野】
【０００１】
本発明は、排水枡に取り付けられて排水枡内部のヌメリを取ることのできるヌメリ取り器に関するものである。
【背景技術】
【０００２】
従来、特許文献１に開示されているように、キッチンの排水口等の段部に、排水口カバーと一体のヌメリ取り器を設置したものが開示されている。
このヌメリ取り器は、リング状の薬剤収納ケースを装着して、外周上端部に排水の流入孔と下面に溶解液の流出孔を備えている。
【特許文献１】特開２０００−１４４８４０号公報
【発明の開示】
【発明が解決しようとする課題】
【０００３】
特許文献１に開示されているようなヌメリ取り器では、リング状のヌメリ取り器の中央部から排水が排水枡内に流下する構造であり、排水枡の内周壁に沿って流下する排水は少なく、排水枡の内周面に付着するヌメリを良好に除去できないという問題点があった。
【課題を解決するための手段】
【０００４】
本発明は上記従来の問題点に鑑み案出したものであって、排水枡内周壁に付着するヌメリを確実に取ることができ、また排水枡内に設置されるヘアキャッチャーに付着するヌメリも良好に取ることのできる排水枡用ヌメリ取り器を提供するものであり、その請求項１は、排水枡の内周面の上部部位に形成された段部上に排水口カバーを設け、該排水口カバーの外周側から排水を流下させる構造の排水枡に設置されるヌメリ取り器であって、
該ヌメリ取り器は、前記段部に係止させて前記排水口カバー裏面に近接した排水口カバーの真下に設置可能に構成されているとともに、固形薬剤を収納した収納部と、該収納部の外側側壁に形成されて該収納部から流出する前記固形薬剤の溶解液を前記排水枡の内周面に沿って流下させるために前記内周面の上部部位で開口する流出口を備え、該流出口は、排水を前記収納部内に流入させる流入口も兼ねていることである。
【０００５】
また請求項２は、上面に覆設された排水口カバーの外周側から排水を流下させる構造の排水枡に設置されるヌメリ取り器であって、
該ヌメリ取り器は、前記排水枡の底面に当接させて該ヌメリ取り器を前記排水口カバー裏面に近接した排水口カバーの真下に設置可能な脚部を備えるとともに、固形薬剤を収納した収納部と、該収納部の外側側壁に形成されて該収納部から流出する前記固形薬剤の溶解液を前記排水枡の内周面に沿って流下させるために前記内周面の上部部位で開口する流出口を備え、該流出口は、排水を前記収納部内に流入させる流入口も兼ねていることである。
【発明の効果】
【０００６】
本発明は、排水枡の内周面の上部部位に形成された段部上に排水口カバーを設け、該排水口カバーの外周側から排水を流下させる構造の排水枡に設置されるヌメリ取り器であって、該ヌメリ取り器は、前記段部に係止させて前記排水口カバー裏面に近接した排水口カバーの真下に設置可能に構成されているとともに、固形薬剤を収納した収納部と、該収納部の外側側壁に形成されて該収納部から流出する前記固形薬剤の溶解液を前記排水枡の内周面に沿って流下させるために前記内周面の上部部位で開口する流出口を備え、該流出口は、排水を前記収納部内に流入させる流入口も兼ねていることにより、ヌメリ取り器は排水枡の上部部位に形成されている段部に係止させて、排水口カバー裏面に近接した排水口カバーの真下に設置することができ、設置状態では、ヌメリ取り器の流出口が排水枡の内周面の上部部位に開口されるため、排水により収納部内の固形薬剤を溶解させて、濃い固形薬剤の溶解液を良好に排水枡の内周面に沿って流下させることができ、排水枡の内周面のヌメリを確実に取ることができ、また、排水枡内に設置されているヘアキャッチャーのヌメリも良好に取ることができるものとなる。また、髪の毛も排水枡の内周面に沿って排水とともに下方へ流下されるため、ヌメリ取り器への髪の毛の絡みつきを少なくすることができる。
【０００７】
また、上面に覆設された排水口カバーの外周側から排水を流下させる構造の排水枡に設置されるヌメリ取り器であって、
該ヌメリ取り器は、前記排水枡の底面に当接させて該ヌメリ取り器を前記排水口カバー裏面に近接した排水口カバーの真下に設置可能な脚部を備えるとともに、固形薬剤を収納した収納部と、該収納部の外側側壁に形成されて該収納部から流出する前記固形薬剤の溶解液を前記排水枡の内周面に沿って流下させるために前記内周面の上部部位で開口する流出口を備え、該流出口は、排水を前記収納部内に流入させる流入口も兼ねていることにより、排水枡内に脚部を介して容易にヌメリ取り器を設置することができ、設置状態ではヌメリ取り器は、排水口カバー裏面に近接した排水口カバーの真下に配置され、ヌメリ取り器の流出口は排水枡の内周面の上部部位に開口状態となるため、排水により収納部内の固形薬剤を溶解させて、濃い固形薬剤の溶解液を排水枡の内周面に沿って流下させることができ、排水枡の内周面とヘアキャッチャーのヌメリを良好に取ることができるものとなるまた、髪の毛も排水枡の内周面に沿って排水とともに下方へ流下されるため、ヌメリ取り器への髪の毛の絡みつきを少なくすることができる。
【実施例】
【０００８】
以下、本発明の実施例を図面に基づいて説明する。
図１は、浴室の縦断面構成図であり、図２は、浴室の床面を構成する洗い場パンの斜視構成図である。
洗い場パン１の浴槽側Ｂには、洗い場パン１上面の洗い場１ａに連続して下方側へ凹み状に排水枡２が一体形成されており、この排水枡２の下面には排水トラップＴＰが設けられ、排水枡２の上面には、洗い場１ａと略面一状に排水口カバー４が覆設されるが、本例では、この排水口カバー４の真下にヌメリ取り器５を着脱可能に取り付けできるようにしたものである。
【０００９】
図３は、排水枡２の上面側に排水口カバー４と、その下方にヌメリ取り器５を設置した状態の要部縦断面構成図であり、排水枡２の底面２ｃ側には髪の毛を取るためのヘアキャッチャー３が着脱可能に取り付けられている。
【００１０】
ヌメリ取り器５は、図４の斜視図で、また図５の裏側から見た斜視図で、また図６の側面拡大図で示すような構造となっている。
ヌメリ取り器５は、中央部が上下に貫通した方形枠体状に形成され、四辺にそれぞれ、下面開放箱状の収納部６，６，６，６が形成されており、各収納部６の外側側壁には、排水の流入および流出が可能な流入流出口８がスリット状に横方向に間隔をおいて複数開口形成されている。
【００１１】
なお、各収納部６内には、裏側から錠剤状の固形薬剤１１を収納させることができ、固形薬剤１１，１１，１１を各収納部６に収納させた状態で、裏側から収納部６に板状の底蓋７を接着あるいは溶着等で取り付けて、収納部６の底側を底蓋７で覆蓋して収納部６内に複数の固形薬剤１１，１１，１１を封入しておくことができる。なお、固形薬剤１１は、微生物の発育を抑制する薬剤を錠剤状に固形化したものである。
【００１２】
なお、各収納部６の上面は、外周側から内周側へ向かって湾曲状に下傾した排水誘導部６ａとなっており、図７の拡大図で示すように、この排水誘導部６ａの内端から垂下状に内周垂下部６ｂが一体形成されており、この内周垂下部６ｂは収納部６の内側側壁を形成するものであり、前記排水誘導部６ａは収納部６の上壁を形成するものであり、内周垂下部６ｂと逆側の外周側に前記流入流出口８がスリット状に開口形成されたものとなっている。
【００１３】
また、ヌメリ取り器５の対向する二辺には、外側へ突出してフランジ９，９が一体形成されており、このフランジ９，９は、それぞれ排水枡２の内周面２ａの上部部位に形成されている段部２ｂ上に掛止することができるものである。
なお、この段部２ｂと排水誘導部６ａ間には、スリット状に通水口１０が開口されており、この通水口１０は各収納部６の流入流出口８の上端付近に上下に貫通して形成されたものである。
【００１４】
なお、本例のヌメリ取り器８は、各収納部６内に固形薬剤１１を入れて底蓋７で蓋をした使い捨てタイプのものであり、図７の拡大縦断面図で示すように、ヌメリ取り器５は、フランジ９，９を排水枡２の段部２ｂに載置することで、排水枡２の内周面２ａの上部部位に容易に取り付けできるものであり、この取り付け状態では、各収納部６の流入流出口８が排水枡２の内周面２ａに臨んで内周面２ａと近接した位置に配置されることとなる。
【００１５】
なお、ヌメリ取り器５を取り付けて、その上面には排水口カバー４が設置され、排水口カバー４の裏面の四隅に下方側へ突出して形成されている脚部４ａがヌメリ取り器５のフランジ９の上面に当接された状態となり、排水口カバー４の裏面とヌメリ取り器５の上面間には、排水が流れる隙間が形成されるものである。
【００１６】
なお、排水口カバー４は、中央部には何ら貫通孔の存在しない板状に形成されたものであり、その排水口カバー４の外周と排水枡２の上面内周間に隙間が形成されるように設定されており、この排水口カバー４の外周側から洗い場１ａの排水が排水枡２内に流れ込むものであり、排水枡２内に流れ込んだ排水は、大部分がヌメリ取り器５の排水誘導部６ａ上を流れて下方へ流下され、下方に設けられているヘアキャッチャー３上に大部分の排水が流下される。一部の排水は、通水口１０を通過して流入流出口８から収納部６内に入り込み、収納部６内に入り込んだ排水で内部の固形薬剤１１が溶解されるものである。
少量の排水が収納部６内に流入して収納部６内に滞留することで、水が引いた時に、濃い固形薬剤の溶解液を流入流出口８から排水枡２の内周面２ａに垂れ流すことができ、内周面２ａの壁伝いに濃い溶解液が流下し、これにより内周面２ａのヌメリが良好に除去されることとなる。
なお、更に内周面２ａに沿って流下した溶解液は、下方のヘアキャッチャー３上に流下され、ヘアキャッチャー３のヌメリを良好に取ることができ、排水枡２の内周面とヘアキャッチャー３のヌメリを確実に取ることができるものとなる。
【００１７】
なお、ヌメリ取り器５の流入流出口８は、外周側側面にスリット状に開口されているものであるため、髪の毛が収納部６内に入り込むことはなく、髪の毛はスムーズに下方側へ排水とともに流下され、髪の毛の絡みつきを少なくすることができる。
【００１８】
次に、図８で示すヌメリ取り器は変形例を示すものであり、この図８のヌメリ取り器５はフランジ９を有さず、代わりに四隅に垂下状に脚部１２，１２，１２，１２を垂設させたものであり、図９に示すように、排水枡２の底面２ｃ上に、この脚部１２，１２，１２の下端を当接させた状態で、排水枡２内に容易に取り付けることができ、取り付け状態では、ヌメリ取り器５の流入流出口８が、排水枡２の内周面２ａの上部部位に内周面２ａに近接して配置されるものであり、ヌメリ取り器５の各収納部６内に流入流出口８から排水を入れて、内部で排水により固形薬剤１１を溶解させ、収納部６内に溜められた濃い溶解液を排水枡２内の水が引いた時に、流入流出口８から排水枡２の内周面２ａに沿って、壁伝いに流下させて内周面２ａのヌメリを取ることができるものである。
なお、図８のヌメリ取り器５も使い捨てタイプであり、固形薬剤１１が無くなった時には新たなヌメリ取り器５を排水枡２に取り付けることとなる。
【図面の簡単な説明】
【００１９】
【図１】浴室の縦断面構成図である。
【図２】洗い場パンに形成された排水枡と、この排水枡に取り付けられるヌメリ取り器と排水口カバーの分解斜視図である。
【図３】排水枡にヌメリ取り器と排水口カバーを取り付けた状態の要部縦断面構成図である。
【図４】ヌメリ取り器の上方側から見た斜視構成図である。
【図５】ヌメリ取り器の裏側から見た斜視構成図である。
【図６】ヌメリ取り器の側面拡大構成図である。
【図７】ヌメリ取り器の設置状態の要部拡大縦断面構成図である。
【図８】脚部を有するヌメリ取り器の斜視構成図である。
【図９】図８のヌメリ取り器を排水枡に取り付けた状態の要部縦断面構成図である。
【符号の説明】
【００２０】
１  洗い場パン
１ａ  洗い場
２  排水枡
２ａ  内周面
２ｂ  段部
２ｃ  底面
３  ヘアキャッチャー
４  排水口カバー
４ａ  脚部
５  ヌメリ取り器
６  収納部
６ａ  排水誘導部
６ｂ  内周垂下部
７  底蓋
８  流入流出口
９  フランジ
１０  通水口
１１  固形薬剤
１２  脚部
【図１】
0004761272.tif 000002
【図２】
0004761272.tif 000003
【図３】
0004761272.tif 000004
【図４】
0004761272.tif 000005
【図５】
0004761272.tif 000006
【図６】
0004761272.tif 000007
【図７】
0004761272.tif 000008
【図８】
0004761272.tif 000009
【図９】
0004761272.tif 000010